(57)【要約】【課題】ケアラベル製作用生地の一面にＲＦＩＤタグをステッカー状で貼り付けることにより、ケアラベルの製造工程を単純化させ、製造コストを削減することができるＲＦＩＤタグを備えたケアラベルおよびその製作方法を提供する。【解決手段】本発明に係るＲＦＩＤタグを備えたケアラベルの製作方法は、ファッション衣類またはファッション雑貨に備えられるケアラベルを製作する方法であって、ケアラベル製作用生地の長さ方向に沿って所定の間隔で複数個のＲＦＩＤタグを前記生地に貼り付けるステップ；ＲＦＩＤエンコーダが前記生地に貼り付けられたＲＦＩＤタグに予め設定された製品情報に対応するタグ情報をエンコードするステップ；およびラベル印刷機が前記ＲＦＩＤタグが貼り付けられた前記生地に前記製品情報を印刷するステップを含む。【選択図】図１
2017204264.tif 000002
【特許請求の範囲】
【請求項１】
ファッション衣類またはファッション雑貨に備えられるケアラベルを製作する方法であって、
ケアラベル製作用生地の長さ方向に沿って所定の間隔で複数個のＲＦＩＤタグを前記生地に貼り付けるステップ；
ＲＦＩＤエンコーダが前記生地に貼り付けられたＲＦＩＤタグに予め設定された製品情報に対応するタグ情報をエンコードするステップ；および
ラベル印刷機が前記ＲＦＩＤタグが貼り付けられた前記生地に前記製品情報を印刷するステップ；
を含むことを特徴とするＲＦＩＤタグを備えたケアラベルの製作方法。
【請求項２】
前記タグ情報のエンコードステップは、前記生地に前記製品情報を印刷する過程で行われることを特徴とする、請求項１に記載のＲＦＩＤタグを備えたケアラベルの製作方法。
【請求項３】
前記タグ情報のエンコードステップは、前記ＲＦＩＤエンコーダが前記生地に貼り付けられたＲＦＩＤタグが不良かどうかを判断するステップを含むことを特徴とする、請求項２に記載のＲＦＩＤタグを備えたケアラベルの製作方法。
【請求項４】
前記タグ情報のエンコードステップで、前記生地に貼り付けられたＲＦＩＤタグが不良と判断されると、
前記製品情報の印刷ステップは、前記不良と判断されたＲＦＩＤタグに対応する前記生地の印刷領域には、前記製品情報を印刷する代わりに、予め設定された表示を印刷することを特徴とする、請求項３に記載のＲＦＩＤタグを備えたケアラベルの製作方法。
【請求項５】
前記製品情報の印刷ステップで、
前記不良と判断されたＲＦＩＤタグに対応する前記生地の印刷領域に印刷されるべき製品情報は、前記生地の次の印刷領域に印刷されることを特徴とする、請求項４に記載のＲＦＩＤタグを備えたケアラベルの製作方法。
【請求項６】
前記ＲＦＩＤエンコーダは、前記ラベル印刷機に装着されるが、前記ラベル印刷機の記録ヘッドと隣接する位置に配置されることを特徴とする、請求項２に記載のＲＦＩＤタグを備えたケアラベルの製作方法。
【請求項７】
前記生地の長さ方向に沿って所定の間隔で複数個の光学認識マークを前記生地に印刷するステップ；および
前記生地において、前記ＲＦＩＤタグが貼り付けられるべき位置を案内するためのタグ貼付ガイド線を前記生地に印刷するステップをさらに含み、
前記タグ情報のエンコードステップで、前記ＲＦＩＤエンコーダは、前記光学認識マークを介して前記生地において前記ＲＦＩＤタグの位置を獲得し、それに基づいて前記ＲＦＩＤタグに前記タグ情報をエンコードすることを特徴とする、請求項１に記載のＲＦＩＤタグを備えたケアラベルの製作方法。
【請求項８】
前記製品情報の印刷ステップおよび前記タグ情報のエンコードステップの後に、
前記生地の長さ方向に沿って所定の間隔で前記生地をカットするステップ；をさらに含み、
前記生地のカットステップで、前記光学認識マークは、カットラインを表示する機能を実行することを特徴とする、請求項７に記載のＲＦＩＤタグを備えたケアラベルの製作方法。
【請求項９】
前記生地に貼り付けられた前記ＲＦＩＤタグと隣接する位置に前記生地に貼り付けられた前記ＲＦＩＤタグを容易に除去するための切取線を形成するステップ；をさらに含むことを特徴とする、請求項１に記載のＲＦＩＤタグを備えたケアラベルの製作方法。
【請求項１０】
第１項から第９項のいずれか一項に記載の製作方法により製作されたＲＦＩＤタグを備えたケアラベル。
【請求項１１】
ファッション衣類またはファッション雑貨に備えられるケアラベルであって、
ケアラベル製作用生地；および
前記生地に貼り付けられるＲＦＩＤタグ；を含み、
前記生地の表面には、予め設定された製品情報が印刷され、前記生地の裏面には、前記ＲＦＩＤタグが貼り付けられていることを特徴とするＲＦＩＤタグを備えたケアラベル。
【請求項１２】
前記生地の裏面には光学認識マークが設けられ、
前記光学認識マークは、前記生地に貼り付けられた前記ＲＦＩＤタグに前記製品情報に対応するタグ情報をエンコードする際に、前記生地において前記ＲＦＩＤタグの位置情報を提供することを特徴とする、請求項１１に記載のＲＦＩＤタグを備えたケアラベル。
【請求項１３】
前記生地の裏面には、前記ＲＦＩＤタグを前記生地の裏面に貼り付けるときに、前記ＲＦＩＤタグが貼り付けられるべき位置を案内するタグ貼付ガイド線が設けられていることを特徴とする、請求項１２に記載のＲＦＩＤタグを備えたケアラベル。
【請求項１４】
前記生地の裏面に貼り付けられた前記ＲＦＩＤタグは、ラベル印刷機が前記生地の表面に前記製品情報を印刷する過程で、前記ラベル印刷機に装着されたＲＦＩＤエンコーダによって前記製品情報に対応するタグ情報がエンコードされていることを特徴とする、請求項１３に記載のＲＦＩＤタグを備えたケアラベル。
【請求項１５】
前記生地には前記生地に貼り付けられたＲＦＩＤタグを前記生地から容易に除去するための切取線が設けられていることを特徴とする、請求項１４に記載のＲＦＩＤタグを備えたケアラベル。
【発明の詳細な説明】
【技術分野】
【０００１】
本発明は、ケアラベルに関し、さらに詳しくは、ＲＦＩＤタグをケアラベルに貼り付けて、製品情報を簡単に把握できるＲＦＩＤタグを備えたケアラベルおよびその製作方法に関する。
【背景技術】
【０００２】
ケアラベル（ｃａｒｅ−ｌａｂｅｌ）は、衣類に貼り付けられるラベルを意味する。このようなケアラベルは、衣類の内部または外部に商標またはメーカーなどを表示する商標表示ラベルと、サイズ、材質、および洗濯方法などを表示した品質表示ラベルに分類することができる。
【０００３】
最近このようなケアラベルには、製品の情報、数量、在庫などを把握するのに容易にするためにＲＦＩＤタグが多く貼り付けられている傾向にある。ケアラベルに貼り付けられるＲＦＩＤタグは、「Ｒａｄｉｏ  Ｆｒｅｑｕｅｎｃｙ  Ｉｄｅｎｔｉｆｉｃａｔｉｏｎ  ｔａｇ」で、ＩＣチップと近距離ＲＦ無線通信を介して、各物品および商品の情報を読み取ることができ、対象品目が移動しても、ＲＦＩＤタグ内部に格納された情報を効果的にリアルタイムで更新することもできる。
【０００４】
従来ケアラベルに備えられるＲＦＩＤタグは、別途にＲＦＩＤタグを製作して、製品情報に対応するタグ情報のエンコードが完了したＲＦＩＤタグをケアラベルとともに衣料品にそれぞれ結束する。このとき、衣料品に装着されるＲＦＩＤタグは、ＲＦＩＤタグのアンテナが破損または毀損されることを防止するために生地などで包んで衣料品に装着する。
【０００５】
しかし、前記のようにケアラベルとＲＦＩＤタグを衣料品に結束することはＲＦＩＤタグの製造工程が非常に複雑になるだけでなく、ケアラベルとＲＦＩＤタグを衣料品に貼り付けるため、製造時間が長くかかるため、生産性が低下するはもちろんのこと、それにより製造コストが高くなるという問題点がある。
【０００６】
また、ケアラベルとＲＦＩＤタグが衣料品にそれぞれ結束される場合、衣料品からＲＦＩＤタグが紛失または毀損される危険性がある。
【０００７】
したがって、本出願人は、前記のような問題点を解決するために、本発明を提案するようになり、これに関連し、先行技術文献としては、特許文献１がある。
【先行技術文献】
【特許文献】
【０００８】
【特許文献１】韓国登録特許第１０−１５６０６３０号公報
【発明の概要】
【発明が解決しようとする課題】
【０００９】
本発明の目的は、ケアラベル製作用生地の一面にＲＦＩＤタグをステッカー状で貼り付けることにより、ケアラベルの製造工程を単純化させ、製造コストを削減することができるＲＦＩＤタグを備えたケアラベルおよびその製作方法を提供するものである。
【００１０】
また、本発明の目的は、ケアラベルを製作する生地にＲＦＩＤタグを貼り付けることにより、ケアラベルを製作する際、製品情報が印刷される工程と、ＲＦＩＤタグに製品情報に対応するタグ情報をエンコードする工程をともに実行して、ケアラベルの生産性をさらに向上させることができるＲＦＩＤタグを備えたケアラベルおよびその製作方法を提供することである。
【００１１】
本発明が解決しようとする課題は、以上で言及した課題に制限されず、言及されないさらなる課題は、以下の記載から当業者に明確に理解されうるだろう。
【課題を解決するための手段】
【００１２】
前記の目的は、本発明により、ファッション衣類またはファッション雑貨に備えられるケアラベルを製作する方法であって、ケアラベル製作用生地の長さ方向に沿って所定の間隔で複数個のＲＦＩＤタグを前記生地に貼り付けるステップ；ＲＦＩＤエンコーダが前記生地に貼り付けられたＲＦＩＤタグに予め設定された製品情報に対応するタグ情報をエンコードするステップ；およびラベル印刷機が前記ＲＦＩＤタグが貼り付けられた前記生地に前記製品情報を印刷するステップ；を含むＲＦＩＤタグを備えたケアラベルおよびその製作方法によって達成される。
【００１３】
前記ＲＦＩＤタグの貼り付けステップにおいて、前記ＲＦＩＤタグは、前記生地の裏面に貼り付けられ、前記製品情報の印刷ステップで前記製品情報は、前記生地の表面に印刷することができる。
【００１４】
前記タグ情報のエンコードステップは、前記生地に前記製品情報を印刷する過程で行うことができる。
【００１５】
前記タグ情報のエンコードステップは、前記ＲＦＩＤエンコーダが前記生地に貼り付けられたＲＦＩＤタグが不良かどうかを判断するステップを含むことができる。
【００１６】
前記タグ情報のエンコードステップで、前記生地に貼り付けられたＲＦＩＤタグが不良と判断されると、前記製品情報の印刷ステップは、前記不良と判断されたＲＦＩＤタグに対応する前記生地の印刷領域には、前記製品情報を印刷する代わりに、予め設定された表示を印刷することができる。
【００１７】
前記製品情報の印刷ステップで、前記不良と判断されたＲＦＩＤタグに対応する前記生地の印刷領域に印刷されるべき製品情報は、前記生地の次の印刷領域に印刷されうる。
【００１８】
前記ＲＦＩＤエンコーダは、前記ラベル印刷機に装着されるが、前記ラベル印刷機の記録ヘッドと隣接する位置に配置されうる。
【００１９】
前記生地の長さ方向に沿って所定の間隔で複数個の光学認識マークを前記生地に印刷するステップ；および前記生地において前記ＲＦＩＤタグが貼り付けられるべき位置を案内するためのタグ貼付ガイド線を前記生地に印刷するステップをさらに含み、前記タグ情報のエンコードステップで、前記ＲＦＩＤエンコーダは、前記光学認識マークを介して前記生地において前記ＲＦＩＤタグの位置を獲得し、それに基づいて前記ＲＦＩＤタグに前記タグ情報をエンコードすることができる。
【００２０】
前記製品情報の印刷ステップおよび前記タグ情報のエンコードステップの後に、前記生地の長さ方向に沿って所定の間隔で前記生地をカットするステップ；をさらに含み、前記生地のカットステップで、前記光学認識マークは、カットラインを表示する機能を遂行することができる。
【００２１】
前記生地に貼り付けられた前記ＲＦＩＤタグと隣接する位置に前記生地に貼り付けられた前記ＲＦＩＤタグを容易に除去するための切取線を形成するステップ；をさらに含むことができる。
【００２２】
前記ＲＦＩＤタグの貼り付けステップで、前記生地は巻取られたロール状で提供されて供給ローラに装着され、前記生地は前記供給ローラの回転により連続的に供給されながら、前記ＲＦＩＤタグが貼り付けられた後、回収ローラによって再びロール状に巻き取られうる。
【００２３】
また、前述したＲＦＩＤタグを備えたケアラベルの製作方法により製作されたＲＦＩＤタグが貼り付けられたケアラベルを含む。
【００２４】
本発明の他の分野によれば、ファッション衣類またはファッション雑貨に備えられるケアラベルにおいて、ケアラベル製作用生地；および前記生地に貼り付けられるＲＦＩＤタグ；を含むが、前記生地の表面には、予め設定された製品情報が印刷され、前記生地の裏面には、前記ＲＦＩＤタグが貼り付けられるＲＦＩＤタグを備えたケアラベルによって達成される。
【００２５】
前記生地の裏面には、光学認識マークが設けられ、前記光学認識マークは、前記生地に貼り付けられた前記ＲＦＩＤタグに前記製品情報に対応するタグ情報をエンコードする際に、前記生地において前記ＲＦＩＤタグの位置情報を提供することができる。
【００２６】
前記生地の裏面には、前記ＲＦＩＤタグを前記生地の裏面に貼り付けるときに、前記ＲＦＩＤタグが貼り付けられるべき位置を案内するタグ貼付ガイド線が設けられうる。
【００２７】
前記生地の裏面に貼り付けられた前記ＲＦＩＤタグは、ラベル印刷機が前記生地の表面に前記製品情報を印刷する過程で、前記ラベル印刷機に装着されたＲＦＩＤエンコーダによって前記製品情報に対応するタグ情報がエンコードされうる。
【００２８】
前記生地には前記生地に貼り付けられたＲＦＩＤタグを前記生地から容易に除去するための切取線が設けられうる。
【発明の効果】
【００２９】
本発明のＲＦＩＤタグを備えたケアラベルおよびその製作方法は、ケアラベル製作用生地の一面にＲＦＩＤタグをステッカー状で貼り付けることにより、ＲＦＩＤタグを備えたケアラベルの製造工程を単純化させることができ、それにより製造コストを削減することができる。
【００３０】
また、本発明のＲＦＩＤタグを備えたケアラベルおよびその製作方法は、ケアラベルを製作する生地にＲＦＩＤタグを貼り付けることにより、ケアラベルを製作する際、製品情報が印刷される工程と、ＲＦＩＤタグに対して製品情報に対応するタグ情報をエンコードする工程をともに行うことができるため、ケアラベルの生産性をさらに向上させることができる。
【００３１】
さらに、本発明のＲＦＩＤタグを備えたケアラベルおよびその製作方法は、ケアラベルにＲＦＩＤタグが貼り付けられることにより、ＲＦＩＤタグの内部のアンテナが破損または毀損されることを防止することができる。
【図面の簡単な説明】
【００３２】
【図１】本発明の一実施形態に係るＲＦＩＤタグを備えたケアラベルの製作方法を説明するためのフローチャートである。
【図２】図１に示したＲＦＩＤタグを備えたケアラベルの製作方法の各ステップを説明するための図である。
【図３】本発明の一実施形態に係るＲＦＩＤタグを備えたケアラベルを示した斜視図である。
【図４】図３に示したＲＦＩＤタグを備えたケアラベルを製作するための製作設備を説明するための図である。
【図５】図３に示したＲＦＩＤタグを備えたケアラベルにＲＦＩＤタグが貼り付けられることを説明するための図である。
【図６】本発明の一実施形態に係るＲＦＩＤタグを備えたケアラベルに製品情報を印刷して、ＲＦＩＤタグにタグ情報をエンコードするラベル印刷機およびＲＦＩＤエンコーダを概略的に示した図である。
【図７】本発明の一実施形態に係るＲＦＩＤタグを備えたケアラベルの使用状態を示す斜視図である。
【図８】本発明の一実施形態に係るＲＦＩＤタグを備えたケアラベルに切取線が形成されたことを説明するための斜視図である。
【発明を実施するための形態】
【００３３】
以下、添付された図面を参照して、本発明の実施例について本発明が属する技術分野で通常の知識を有する者が容易に実施できるように詳細に説明する。本発明は、様々な異なる形態で具現されえ、ここで説明する実施例に限定されない。
【００３４】
図面は概略的であり、蓄積に合わせて図示されていない。図面の部分の相対的な寸法および比率は、図面での明確性および便宜のために、その大きさにおいて誇張または減少されて図示されており、任意の寸法は、単に例示的なものであって限定的なものではない。そして、複数の図面に表示される同じ構造物、要素または部品には同じ参照符号が類似する特徴を示すために使用される。
【００３５】
本発明の実施例は、本発明の理想的な実施例を具体的に示す。その結果、図面の様々な変形が予想される。したがって、実施例は、図示した領域の特定の形態に限定されず、例えば、製造による形態の変形も含む。
【００３６】
以下、添付された図面を参照して、本発明の一実施形態に係るＲＦＩＤタグを備えたケアラベル１００（以下「ケアラベル」という）およびその製作方法を説明する。
【００３７】
図１は、本発明の一実施形態に係るＲＦＩＤタグを備えたケアラベルの製作方法を説明するためのフローチャート、図２は、図１に示したＲＦＩＤタグを備えたケアラベルの製作方法の各ステップを説明するための図、図３は、本発明の一実施形態に係るＲＦＩＤタグを備えたケアラベルを示す斜視図、図４は、図３に示したＲＦＩＤタグを備えたケアラベルを製作するための製作設備を説明するための図、図５は、図３に示したＲＦＩＤタグを備えたケアラベルにＲＦＩＤタグが貼り付けられることを説明するための図、図６は、本発明の一実施形態に係るＲＦＩＤタグを備えたケアラベルに製品情報を印刷して、ＲＦＩＤタグにタグ情報をエンコードするラベル印刷機およびＲＦＩＤエンコーダを概略的に示した図、図７は、本発明の一実施形態に係るＲＦＩＤタグを備えたケアラベルの使用状態を示す斜視図、および図８は、本発明の一実施形態に係るＲＦＩＤタグを備えたケアラベルに切取線が形成されることを説明するための斜視図である。
【００３８】
図１を参照すると、本発明の一実施形態に係るＲＦＩＤタグを備えたケアラベルの製作方法は、生地１１０に貼り付けるステップ（Ｓ１４０）、ＲＦＩＤタグ１２０が貼り付けられた生地１１０に製品情報を印刷するステップ（Ｓ１５２）およびＲＦＩＤタグ１２０に製品に対応するタグ情報をエンコードするステップ（Ｓ１５０）を含む。
【００３９】
まず、ケアラベル１００を製作するための生地１１０を提供する（Ｓ１１０）。ここで、ケアラベル１００は、ファッション衣類またはファッション雑貨に備えられるものである。ここで、ファッション衣類またはファッション雑貨は、衣類関連製品、すなわち、衣類を含むことはもちろん、帽子、バッグ、アクセサリーなどはもちろんのこと、ファッション雑貨一切を包括して指す。このようなケアラベル１００には、前記したファッション衣類またはファッション雑貨に対する商品情報が印刷される。これにより、ケアラベル１００には、製造国、販売者情報、洗濯および取扱上の注意事項などのような、当該製品を使用するユーザーに知らせたい様々な情報が印刷される。
【００４０】
一方、図２および図３を参照すると、生地１１０は、長さ方向に長く延びる長方形の形を有する。このとき、生地１１０は、ポリエチレンテレフタレートフィルム、ポリエステルフィルムまたは紙など様々な材質で製作される。一方、生地１１０は、図２および図３に示すように、長さ方向に長い辺を持つ長方形の形で設けられてもよいが、もし、原材料の形態によって所望の形状に裁断されない状態で提供されるならば、ケアラベル１００の生地１１０を提供するステップ（Ｓ１１０）で生地１１０を裁断する過程も含んでもよい。
【００４１】
次に、生地１１０にＲＦＩＤタグ１２０を貼り付ける（Ｓ１４０）。つまり、図２の（ｃ）および図３を参照すると、ケアラベル１００製作用生地１１０の裏面１１４に長さ方向に沿って所定の間隔で複数個のＲＦＩＤタグ１２０が貼り付けられる。ここで、ＲＦＩＤタグ１２０は、「Ｒａｄｉｏ  Ｆｒｅｑｕｅｎｃｙ  Ｉｄｅｎｔｉｆｉｃａｔｉｏｎ  ｔａｇ」で、半導体で製作されたトランスポンダ（ｔｒａｎｓｐｏｎｄｅｒ）チップとアンテナから構成される。このようなＲＦＩＤタグ１２０は、衣料品の内部または外部に貼り付けられて、製品の詳細情報を、無線周波数を介して送信して処理する。このとき、図５を参照すると、生地１１０は、巻き取られたロール状で提供されて供給ローラ２１０に装着される。供給ローラ２１０に装着された生地１１０は、供給ローラ２１０の回転により連続的に供給されるとともに、所定の間隔でＲＦＩＤタグ１２０が貼り付けられる。
【００４２】
ＲＦＩＤタグ１２０が貼り付けられた生地１１０は、回収ローラ２１２によって再びロール状に巻き取られる。ここで、ＲＦＩＤタグ１２０は、図４に示すように、別途のＲＦＩＤタグ貼付機２２０によって貼り付けられることもでき、作業者が後述するタグ貼付ガイド線１２２を参照して手作業で貼り付けることもできる。また、本発明の一実施形態に係るＲＦＩＤタグ１２０は、ステッカー（Ｓｔｉｃｋｅｒ）状に形成されて、生地１１０の裏面１１４に貼り付けられるが、必ずしもこれに限定されるものではない。
【００４３】
ここで、本発明の一実施形態に係るＲＦＩＤタグを備えたケアラベルの製作方法は、前記生地１１０にＲＦＩＤタグ１２０を貼り付ける（Ｓ１４０）ステップの前に生地１１０に光学認識マーク１３０およびタグ貼付ガイド線１２２を印刷する（Ｓ１２０、Ｓ１３０）。
【００４４】
まず、生地１１０に光学認識マーク１３０を印刷するステップ（Ｓ１２０）では、生地１１０に光学認識マーク１３０が印刷される。生地１１０に印刷される光学認識マーク１３０は、ＲＦＩＤタグ１２０の位置認識を容易にし、生地１１０に製品情報を印刷することを容易にするためのものである。具体的には、図２の（ｂ）および図３を参照すると、光学認識マーク１３０は、生地１１０の裏面１１４に生地１１０の長さ方向に沿って所定の間隔で複数個設けられる。また、光学認識マーク１３０は、後述する光学センサ２３３によって感知が可能なように、図４に示した光学認識マークの印刷機２１４で光学センサの感知が可能な物質が含まれた黒インクを用いて印刷される。このような光学認識マーク１３０の大きさおよび形状は変形することができ、光学センサ２３３によって感知が可能な大きさおよび形状で形成されればよい。光学認識マーク１３０が生地１１０の裏面１１４に印刷されることにより、生地１１０に対する製品情報の印刷位置およびＲＦＩＤタグ１２０の位置を正確に把握することができ、製品情報の印刷およびＲＦＩＤタグ１２０に対して、製品情報に対応するタグ情報のエンコードを迅速かつ正確に行うことができるようになる。
【００４５】
生地１１０にタグ貼付ガイド線１２２を印刷するステップ（Ｓ１３０）では、生地１１０にタグ貼付ガイド線１２２が印刷される。生地１１０に印刷されるタグ貼付ガイド線１２２は、生地１１０においてＲＦＩＤタグ１２０が貼り付けられるべき位置を案内するためのものである。具体的には、図２の（ｂ）および図３を参照すると、タグ貼付ガイド線１２２は、生地１１０の裏面１１４において生地１１０の長さ方向に沿って所定の間隔で複数個印刷される。このとき、生地１１０の裏面１１４に印刷されるタグ貼付ガイド線１２２の数は、光学認識マーク１３０と同じ数に設けられる。つまり、ケアラベル１００の一つあたり１つのＲＦＩＤタグ１２０が設けられるので、光学認識マーク１３０およびタグ貼付ガイド線１２２も、それぞれ一つずつ設けられることが望ましい。このようなタグ貼付ガイド線１２２は、光学認識マーク１３０と、所定の間隔をもって生地１１０の裏面１１４に設けられ、タグ貼付ガイド線１２２と光学認識マーク１３０との間の間隔はケアラベル１００の大きさにより異なるように設定される。
【００４６】
また、タグ貼付ガイド線１２２は、光学認識マーク１３０と同様に帯状に設けられる。タグ貼付ガイド線１２２は、ＲＦＩＤタグ１２０の貼付位置を案内だけすればいいため、サイズを大きく形成する必要はない。このようなタグ貼付ガイド線１２２は、光学認識マーク１３０のように光学センサ２３３によって感知可能な光学センサ感知物質が含まれる黒インクで印刷されてもよいが、必ずしもこれに限定されるものではない。前記のようなタグ貼付ガイド線１２２は、図４に示した光学認識マーク印刷機２１４を介して生地１１０に印刷されてもよく、別途の他の印刷機器を使用して印刷されてもよい。
【００４７】
一方、ＲＦＩＤタグ１２０を生地１１０の裏面１１４に貼り付けるときに、図５に示すように機械を用いて貼り付けることもできるが、人が手作業で貼り付けることもできる。このとき、機械を用いて、ＲＦＩＤタグ１２０を生地１１０の裏面１１４に貼り付けるとき、タグ貼付ガイド線１２２をＲＦＩＤタグ１２０が生地１１０にきちんと貼り付けられたかどうかを確認するのに用いることもできる。つまり、タグ貼付ガイド線１２２は、一種の信号（ｓｉｇｎａｌ）として使用され、タグ貼付ガイド線１２２を介して生地１１０にＲＦＩＤタグ１２０がきちんと貼り付けられていないと判断されると、機械の稼働を中断させることができる。
【００４８】
参考までに、前記では、生地１１０に光学認識マーク１３０が印刷された後、タグ貼付ガイド線１２２が印刷されるものと説明したが、タグ貼付ガイド線１２２が光学認識マーク１３０よりも生地１１０に先に印刷されることもでき、またはタグ貼付ガイド線１２２と光学認識マーク１３０が光学認識マークの印刷機２１４によって同時に印刷されることもできる。
【００４９】
次に、生地１１０に貼り付けられたＲＦＩＤタグ１２０にタグ情報をエンコードする（Ｓ１５０）。つまり、生地１１０の裏面１１４に貼り付けられたＲＦＩＤタグ１２０に製品情報に対応するタグ情報をエンコードする。ＲＦＩＤタグ１２０にタグ情報をエンコードする際には、ＲＦＩＤエンコーダ２３２を用いる。このとき、ＲＦＩＤエンコーダ２３２は、生地１１０に印刷された光学認識マーク１３０を介してＲＦＩＤタグ１２０の位置を獲得する。ＲＦＩＤエンコーダ２３２は、獲得した生地１１０上のＲＦＩＤタグ１２０の位置に基づいて、ＲＦＩＤタグ１２０に対して、製品情報に対応するタグ情報をエンコードする。参考までに、ＲＦＩＤタグ１２０にエンコードされるタグ情報は、生地１１０の表面１１２に印刷される製品情報とまったく同じ情報であってもよく、製品情報の一部がエンコードされたり、製品に対する他のさらなる追加情報がエンコードされてもよい。
【００５０】
ここで、ＲＦＩＤエンコーダ２３２は、ＲＦＩＤリーダ（機）、ＲＦＩＤライターなど様々な名称で呼ばれるが、これはすべてＲＦＩＤタグ１２０に予め設定されたタグ情報をエンコードするための装置である。
【００５１】
次に、生地１１０に製品情報を印刷する（Ｓ１５２）。図２の（ｄ）および図３、図４を参照すると、生地１１０の表面１１２には製品情報が印刷される。このとき、ラベル印刷機２３０を用いて、生地１１０の表面１１２に製品情報を印刷する。ラベル印刷機２３０（ｌａｂｅｌ  ｐｒｉｎｔｅｒ）には、巻き取られた状態の生地１１０が装着され、生地１１０が装着されると、ラベル印刷機２３０に予め設定しておいた製品情報などが印刷される。つまり、ラベル印刷機２３０には、予め設定された情報が入力され、生地１１０をラベル印刷機２３０に装着すると、製品情報が印刷される。
【００５２】
前記したように、本発明の一実施形態に係るケアラベル１００は、生地１１０の表面１１２には、製造国、ブランド、メーカー、販売業者、洗濯および取り扱い時の注意事項などの製品情報が印刷され、裏面１１４にはＲＦＩＤタグ１２０が貼り付けられる。ここで、生地１１０に製品情報が印刷される面は「表面１１２」とし、ＲＦＩＤタグ１２０が貼り付けられる面を「裏面１１４」としたが、必ずしもこれに限定されるものではなく、表面１１２と裏面１１４は、本発明のケアラベル１００を説明する上で、便宜上のものである。
【００５３】
これと異なり、製品情報が印刷される面とＲＦＩＤタグ１２０が貼り付けられる面が生地１１０の同じ面であってもよい。ただし、このような場合には、ＲＦＩＤタグ１２０の厚さだけＲＦＩＤタグ１２０が生地１１０から突出されうる。その場合、生地１１０に製品情報が印刷されるとき、干渉が発生することがあり、生地１１０に製品情報がきちんと印刷されなかったり、製品情報の印刷作業が円滑に行われないという短所がある。逆に、製品情報が印刷される面とＲＦＩＤタグ１２０が貼り付けられる面を生地１１０の同じ面に適用するが、前記のような製品情報の印刷上の干渉を避けるために、製品情報が印刷される領域とは別にＲＦＩＤタグ１２０が貼り付けられる領域を設ける場合、ケアラベル１００のサイズが相対的に長くなるという短所がある。
【００５４】
したがって、本発明の一実施形態に係るケアラベル１００のように生地１１０の表面１１２には製品情報を印刷し、生地１１０の裏面１１４にはＲＦＩＤタグ１２０を貼り付けることが望ましい。そうすれば、ＲＦＩＦタグ１２０が貼り付けられた製品を使用するユーザーに生地１１０の裏面に貼り付けられたＲＦＩＤタグ１２０を露出しないようにすることができ、ＲＦＩＤタグ１２０が貼り付けられた製品の流通過程でＲＦＩＤタグ１２０に破損が発生しても、ＲＦＩＤタグ１２０が生地１１０の製品情報が印刷された表面１１２でなく裏面１１４に貼り付けられるため、破損が発生したＲＦＩＤタグ１２０を簡単に交換することができるからである。
【００５５】
一方、図６を参照すると、本発明の一実施形態に係るＲＦＩＤエンコーダ２３２は、ラベル印刷機２３０に装着される。つまり、ＲＦＩＤエンコーダ２３２がラベル印刷機２３０の内部に装着される。このとき、ＲＦＩＤエンコーダ２３２は、ラベル印刷機２３０の内部に配置された光学センサ２３３と隣接する位置に配置することができる。つまり、ＲＦＩＤエンコーダ２３２および光学センサ２３３は、ラベル印刷機２３０の内部の下側に配置された生地接触部２３４の下側に設けられる。また、ＲＦＩＤエンコーダ２３２および光学センサ２３３が対向する面、すなわち、ラベル印刷機２３０の内部の上側には、記録ヘッド２３１が設けられる。記録ヘッド２３１は、生地１１０に予め設定された製品情報を印刷する部品である。参考までに、生地接触部２３４は、ガラス（ｇｌａｓｓ）状で、一般的なスキャナーに設けられるのと同じ形状で設けられる。
【００５６】
ここで、記録ヘッド２３１は、生地１１０の上側から生地１１０の表面１１２に向かって配置することもでき、生地１１０の下側から生地１１４の裏面に向かって配置することもできる。しかし、生地１１０の表面１１２には、予め設定された製品情報が印刷されるべきなので、記録ヘッド２３１は、生地１１０の上側から生地１１０の表面１１２に向かって配置されることが望ましい。
【００５７】
ＲＦＩＤエンコーダ２３２は、生地１１０の上側から生地１１０の表面１１２に向かって配置することもでき、生地１１０の下側から生地１１４の裏面に向かって配置することもできる。しかし、生地１１０の裏面１１４にＲＦＩＤタグ１２０が貼り付けられるので、ＲＦＩＤエンコーダ２３２は、生地１１０の下側から生地１１０の裏面１１４に向かって配置されることが望ましい。
【００５８】
光学センサ２３３も生地１１０の上側から生地１１０の表面１１２に向かって配置することもでき、生地１１０の下側から生地１１０の裏面１１４に向かって配置することもできる。しかし、生地１１４の裏面には、光学認識マーク１３０が印刷されるので、光学センサ２３３も生地１１０の下側から生地１１０の裏面１１４に向かって配置されることが望ましい。
【００５９】
これにより、ラベル印刷機２３０の光学センサ２３３を介して生地１１０の裏面１１４に印刷された光学認識マーク１３０を認識し、認識された光学認識マーク１３０の位置に基づきＲＦＩＤエンコーダ２３２は、生地１１０の裏面１１４に貼り付けられたＲＦＩＤタグ１２０にタグ情報をエンコードし、ラベル印刷機２３０が生地１１０の表面１１２に製品情報を印刷する。
【００６０】
一方、本発明の一実施例によるタグ情報をエンコードするステップ（Ｓ１５０）は、エンコードされるＲＦＩＤタグ１２０が不良かどうかを判断するステップを含むことができる。つまり、ＲＦＩＤエンコーダ２３２がＲＦＩＤタグ１２０に対応するタグ情報をエンコードするとともに、ＲＦＩＤタグ１２０が不良かどうかを判断する。具体的には、ＲＦＩＤエンコーダ２３２が生地１１０に貼り付けられたＲＦＩＤタグ１２０にタグ情報をエンコードする際に、ＲＦＩＤタグ１２０が正しく認識されなかったりＲＦＩＤタグ１２０に破損がある場合には、タグ情報を正常にエンコードすることが不可能である。そうすると、ＲＦＩＤエンコーダ２３２は、正しくエンコードされていないＲＦＩＤタグ１２０を判別して不良と判断する。ここで、不良で判別されたＲＦＩＤタグ１２０が貼り付けられた生地１１０の該当印刷領域、すなわち、不良と判断されたＲＦＩＤタグ１２０の位置に対応する生地１１０の印刷領域には、ユーザーがＲＦＩＤタグ１２０が不良かどうかを肉眼で容易に判断することができるように、予め設定された不良表示が印刷される。つまり、生地１１０の裏面１１４に貼り付けられたＲＦＩＤタグ１２０が不良と判断された場合、ラベル印刷機２３０が、前記不良と判断されたＲＦＩＤタグ１２０の位置に対応する生地１１０の表面１１２領域に製品情報を印刷するのではなく、製品情報とは関係のない不良表示を印刷することにより、ユーザーがＲＦＩＤタグ１２０が不良かどうかを肉眼でも容易に把握できるようにする。ここで、予め設定された不良表示は、例えば、エラー（ｅｒｒｏｒ）もしくは不良であることを意味する文字、スクラッチ（ｓｃｒａｔｃｈ）表示、直線、任意の図形や模様などで提供することができる。
【００６１】
また、不良と判断されたＲＦＩＤタグ１２０に予め設定された不良表示が印刷された後に、生地１１０の次の印刷領域には、不良と判断されたＲＦＩＤタグ１２０に対応する製品情報が印刷される。つまり、生地１１０の裏面１１４に貼り付けられたＲＦＩＤタグ１２０が不良と判断されて、ＲＦＩＤタグ１２０に予め設定された不良表示が印刷されると、生地１１０の表面１１２にＲＦＩＤタグ１２０に対応する予め設定された製品情報が印刷されないことになる。一般的に、それぞれの製品は、各製品ごとに固有のシリアル番号（ｓｅｒｉａｌ  ｎｕｍｂｅｒ）を持つが、もし生地１１０の裏面１１４に貼り付けられたＲＦＩＤタグ１２０が不良と判断されて生地１１０の表面１１２にＲＦＩＤタグ１２０に対応する製品情報が印刷されずにそのままにされると、ＲＦＩＤタグ１２０を用いて、製品の在庫および数量を把握するのに誤差が生じうる。これにより、生地１１０の印刷領域に対応するＲＦＩＤタグ１２０が不良と判断されても、不良と判断されたＲＦＩＤタグ１２０に対応する製品情報は、生地１１０に印刷されないのではなく、生地１１０の次の印刷領域に印刷されるようにすることが望ましい。
【００６２】
一方、本発明の一実施形態に係るＲＦＩＤタグを備えたケアラベルの製作方法において、ＲＦＩＤタグ１２０にタグ情報をエンコードするステップ（Ｓ１５０）は、生地１１０に製品情報を印刷するステップ（Ｓ１５２）でともに実行される。これは、ラベル印刷機２３０の内部にＲＦＩＤエンコーダ２３２および記録ヘッド２３１が隣接する位置に装着されるため、生地１１０の裏面１１４に貼り付けられたＲＦＩＤタグ１２０にタグ情報をエンコードすることと、生地１１０の表面に製品情報を印刷することをともに行うことができる。ＲＦＩＤタグ１２０にタグ情報をエンコードするステップ（Ｓ１５０）と、生地１１０に製品情報を印刷するステップ（Ｓ１５２）がともに実行されることにより、本発明の一実施形態に係るＲＦＩＤタグが貼り付けられたケアラベル１００の製作にかかる製造時間および製造コストを削減することができる。
【００６３】
次に、生地１１０をカットする（Ｓ１６０）。つまり、図５に示したカッター機２４０を用いて、生地１１０の長さ方向に沿って所定の間隔で生地１１０をカットする。生地１１０の長さは、生地１１０に印刷される製品情報およびケアラベル１００に装着される製品のサイズに応じて、予め決定される。
【００６４】
一方、生地１１０をカットするステップ（Ｓ１６０）で、生地１１０に印刷された光学認識マーク１３０をカットライン（ｃｕｔｔｉｎｇ−ｌｉｎｅ）として利用することもできる。つまり、カッター機２４０を用いて、生地１１０に印刷された光学認識マーク１３０に生地１１０の大きさを把握し、それに合わせてカットすることができる。
【００６５】
前記のＲＦＩＤタグを備えたケアラベルの製作方法を利用して製作されたケアラベル１００は、衣類などの製品の外部または内部に貼り付けられる。これにより、前記の生地１１０をカットするステップ（Ｓ１６０）を経ずに供給ローラ２１０または回収ローラ２１２によって巻き取られ、再びロール状でユーザーに提供されうる。
【００６６】
一方、図７を参照すると、本発明の一実施形態に係るケアラベル１００は、様々なサイズで製作することもできる。例えば、ケアラベル１００に印刷されるべき製品情報が多すぎてケアラベル１００が長くなると、ケアラベル１００の製作コストが上昇することになる。また、ケアラベル１００が納品される会社によって生地の種類およびサイズが非常に多様である。このため、図７に示すように、生地１１０の表面１１２には、簡単な製品情報のみを印刷し、生地１１０の裏面１１４には、ＲＦＩＤタグ１２０、タグ貼付ガイド線１２２および光学認識マーク１３０を印刷し、生地１１０の表面１１２に製品情報が印刷されたケアラベル１００を別途に製作して、小さなサイズの生地１１０と大きいサイズの生地１１０をファッション衣類またはファッション雑貨のような製品１に返し縫い、接着剤などの貼付手段２を介して一緒に貼り付けることもできる。つまり、本発明の一実施形態に係るケアラベル１００を「別紙」概念の小さいサイズを有するケアラベルの形に形成することもできる。
【００６７】
また、生地１１０の材質等により生地１１０の表面１１２に予め設定された製品情報を印刷することと、生地１１０の裏面１１４にタグ貼付ガイド線１２２、光学認識マーク１３０を印刷し、ＲＦＩＤタグ１２０を貼り付けることが困難なことがある。これに、図面には図示しなかったが、別途のＰＥＴシートを用いて、ＰＥＴシートの一面にはＲＦＩＤタグ１２０を印刷し、他面にはステッカー（ｓｔｉｃｋｅｒ）状で製作して生地１１０に貼り付けることもできる。さらに、別途のユポ紙を利用して、ユポ紙の一面には貼り付けられるＲＦＩＤタグ１２０に対応する製品情報を印刷し、他面にはステッカー状で製作して生地１１０に貼り付けることもできる。このとき、ステッカー状で製作されたユポ紙はケアラベル１００の大きさにより、ＲＦＩＤタグ１２０の表面に貼り付けることもできる。
【００６８】
一方、図８を参照すると、本発明の一実施形態に係るＲＦＩＤタグを備えたケアラベルは、生地１１０には切取線１１６が印刷されてもよい。切取線１１６は、ＲＦＩＤタグ１２０が生地１１０の裏面１１４に貼り付けられる（Ｓ１４０）前に形成されてもよく、ＲＦＩＤタグ１２０を貼り付けた（Ｓ１４０）後、ＲＦＩＤタグ１２０にタグ情報をエンコード（Ｓ１５０）する前に生地１１０の表面１１２および裏面１１４にかけて形成されてもよい。
【００６９】
切取線１１６は、ユーザーの便宜により、ケアラベル１００に貼り付けられたＲＦＩＤタグ１２０を取り外すことを可能にするためのものなので、生地１１０に貼り付けられたＲＦＩＤタグ１２０と隣接する位置に形成されることが望ましい。このような切取線１１６は、別途の機器を介して溝、裂け目、打孔などの形で形成することができる。
【００７０】
前記した構成によって、本発明の一実施形態に係るＲＦＩＤタグを備えたケアラベル１００およびその製作方法は、ケアラベル製作用生地の一面にＲＦＩＤタグをステッカー状で貼り付けることにより、ＲＦＩＤタグを備えたケアラベルの製造工程を単純化させることができ、それにより製造コストを削減することができる。
【００７１】
また、本発明のＲＦＩＤタグを備えたケアラベル１００およびその製作方法は、ケアラベルを製作する生地にＲＦＩＤタグを貼り付けることにより、ケアラベルを製作する際、製品情報が印刷される工程とＲＦＩＤタグについて製品情報に対応するタグ情報をエンコードする工程をともに行うことができるため、ケアラベルの生産性をさらに向上させることができる。
【００７２】
さらに、本発明のＲＦＩＤタグを備えたケアラベル１００およびその製作方法は、ケアラベルにＲＦＩＤタグが貼り付けられることにより、ＲＦＩＤタグの内部のアンテナが破損したり毀損したりするのを防止することができる。
【００７３】
以上のように、本発明の一実施形態では、具体的な構成要素などの特定の事項と限定された実施例および図面によって説明したが、これは本発明のより全般的な理解を助けるために提供されたものであり、本発明は、前記の実施例に限定されるものではなく、本発明が属する分野で通常の知識を有する者であれば、このような記載から多様な修正および変形が可能である。したがって、本発明の思想は、説明された実施例に限定されて定められてはならず、後述する特許請求の範囲のみでなく、この特許請求の範囲と均等または等価的変形のあるすべてのものは、本発明の思想の範疇に属するといえる。
【符号の説明】
【００７４】
１００：ＲＦＩＤタグを備えたケアラベル
１１０：生地
１１２：表面                      １１４：裏面
１１６：切取線
１２０：ＲＦＩＤタグ              １２２：タグ貼付ガイド線
１３０：光学認識マーク
２１０：供給ローラ                ２１２：回収ローラ
２１４：光学認識マーク印刷機      ２２０：ＲＦＩＤタグ貼付機
２３０：ラベル印刷機              ２３１：記録ヘッド
２３２：ＲＦＩＤエンコーダ        ２３３：光学センサ
２３４：生地接触部
２４０：カッター機
【図１】
2017204264.tif 000003
【図２】
2017204264.tif 000004
【図３】
2017204264.tif 000005
【図４】
2017204264.tif 000006
【図５】
2017204264.tif 000007
【図６】
2017204264.tif 000008
【図７】
2017204264.tif 000009
【図８】
2017204264.tif 000010